(57)【特許請求の範囲】
【請求項１】
細長い気密なガラスバルブ、ガラスバルブの両端部内部に封装された一対の冷陰極形の電極、両電極からガラスバルブの両端部を貫通して外部に導出された一対のリード線、ガラスバルブの内面側に形成された蛍光体層およびガラスバルブ内に封入された放電媒体を備えてなる発光管と；
発光管のガラスバルブと同一材質のガラスからなり、発光管をその周囲に１ｍｍ以下の間隙を形成して包囲しかつ両端が発光管のガラスバルブの両端部とガラス溶着により隙間なく一体化されて前記リード線がガラス外管の端部中央から導出されるとともに、内部が１００Ｐａ以下の真空度に維持され、外径が４ｍｍ以下で、かつ発光管の外径の２倍以内、肉厚が外径の１０％以内のガラス外管と；
を具備していることを特徴とする二重管形蛍光ランプ。
【請求項２】
発光管は、ガラスバルブが断面ほぼ円形であり；
ガラス外管は、断面がほぼ円形で、かつ発光管とほぼ同心に配設されている；
ことを特徴とする請求項１記載の二重管形蛍光ランプ。
【請求項３】
発光管は、外径２．５ｍｍ以下であることを特徴とする請求項１またはは２記載の二重管形蛍光ランプ。
【請求項４】
導光体と；導光体の厚さ以下の外径を有するガラス外管を備え、導光体に光を導入するように導光体の端面近傍に配設された請求項１ないし３のいずれか一記載の二重管形蛍光ランプと；を具備していることを特徴とするバックライト装置。
【請求項５】
請求項４記載のバックライト装置と；バックライト装置によって背面から照明される液晶表示体と；を具備していることを特徴とする液晶表示装置。
【請求項６】
照明装置本体と；照明装置本体に配設された請求項１ないし３のいずれか一記載の二重管形蛍光ランプと；を具備していることを特徴とする照明装置。
【発明の詳細な説明】
【０００１】
【発明の属する技術分野】
本発明は発光管の周囲にガラス外管を配設した二重管形蛍光ランプ、これを用いたバックライト装置、液晶表示装置および照明装置に関する。
【０００２】
【従来の技術】
図９は、従来の二重管形蛍光ランプの断面図である。
【０００３】
上記従来技術は、実公平４−５２９３２号公報に記載されているものである。図において、１０１はガラス製の外管、１０４はガラス製の気密封止された封体管であり、これら外管１０１および封体管１０４と後述の保持材１０６、１０６により二重管構造が構成される。外管１０１の内壁と封体管１０４の外壁との間に１〜１０ｍｍ程度の間隔で封体管１０４の外壁を囲む空隙Ｓが形成されるよう外管１０１は封体管１０４を囲繞し、これら両者はそれぞれの両端部において断熱性の保持材１０６、１０６により保持されている。また、封体管１０４の端部１４１、１４１がそれそれぞれ保持材１０６、１０６に埋設固定されるとともにこれらの保持材１０６、１０６がそれぞれ外管１０１の端部１１１、１１１に気密に嵌着されて外管１０１が気密封止され、封体管１０４と外管１０１と保持材１０６、１０６により二重管構造が構成されている。前記空隙Ｓは好ましくは減圧されて真空にされ、この場合には封体管１０４と外管１０１との断熱性の一層の向上を図ることができると述べられている。前記封体管１０４の内壁面には蛍光膜１４２が設けられており、ランプの全長Ｌが１２０ｍｍ以下、消費電力が２Ｗ以下であり、かつ封体管１０４の外径ｄが６ｍｍ以下である。外管１０１の外径Ｄは好ましくは２０ｍｍ以下とされている。この二重管形蛍光ランプは液晶バックライトなどに用いられる。
【０００４】
なお、図中１０２はフィラメント電極、１０３はリード線、１０５は水銀含浸合金である。
【０００５】
上述した従来技術によれば、消費電力が２Ｗ以下であっても、二重管であるから、比較的低温雰囲気においても始動時に所要の温度上昇が得られるために、光束立ち上がりは外管を有さない蛍光ランプに比べて優れている。
【０００６】
一方、蛍光ランプの用途の一つとして近時液晶表示装置用のバックライト装置がある。最近の液晶表示装置においては、光透過形の液晶が主流となっているが、液晶表示体を背面から照明すために、小形の蛍光ランプが使用されている。バックライト装置においては，小形化、軽量化、薄形化およびコスト軽減が要求されている。これらの要求に応えるために、液晶表示装置においては，導光体を用い，蛍光ランプの光を導光体の端面から入射して導光体の前面から光を均一に導出させるサイドライト方式が主流となっている。
【０００７】
【発明が解決しようとする課題】
しかしながら、上記従来技術においては、封体管１０４と外管１０１との両端部を断熱性の保持材１０６により、気密に封止しようとするものであるが、断熱性にして気密性が良好であり、しかもガラスに対する濡れ性の良好な材料を工業的規模において、比較的安価に得ることが困難である。
【０００８】
したがって、従来技術においては長期間にわたって外管と封体管との間の気密性を維持することが困難であり、さらに製造工数も多く安価に提供することができないという問題がある。
【０００９】
また、サイドライト方式のバックライト装置にあっては、導光体の厚さは薄形化および軽量化の要求から次第に薄くなってきており、４ｍｍ程度またはそれ以下のものが使用されている。
【００１０】
ところが、導光体を薄くしても蛍光ランプが太くてはバックライト装置を薄くすることができない。また、導光体の厚さより蛍光ランプが太いと、導光体に対する入射効率が低下するという問題もある。
【００１１】
したがって、前記の従来技術では近時のバックライト装置などの照明装置の小形化の要求に応えることができない。
【００１２】
本発明は、外径を所要の程度に細くして、しかも十分な断熱性を有していて、輝度が高いとともに、低温時の光束立ち上がり特性が良好な二重管形蛍光ランプ、これを用いたバックライト装置、液晶表示装置および照明装置を提供することを目的とする。
【００１３】
【課題を達成するための手段】
請求項１の発明の二重管形蛍光ランプは、細長い気密なガラスバルブ、ガラスバルブの両端部内部に封装された一対の冷陰極形の電極、両電極からガラスバルブの両端部を貫通して外部に導出された一対のリード線、ガラスバルブの内面側に形成された蛍光体層およびガラスバルブ内に封入された放電媒体を備えてなる発光管と；発光管のガラスバルブと同一材質のガラスからなり、発光管をその周囲に１ｍｍ以下の間隙を形成して包囲しかつ両端が発光管のガラスバルブの両端部とガラス溶着により隙間なく一体化されて前記リード線がガラス外管の端部中央から導出されるとともに、内部が１００Ｐａ以下の真空度に維持され、外径が４ｍｍ以下で、かつ発光管の外径の２倍以内、肉厚が外径の１０％以内のガラス外管と；を具備していることを特徴としている。
【００１４】
本発明および以下の各発明において、特に指定しない限り用語の定義および技術的意味は次による。
【００１５】
まず、ガラスバルブについて説明する。
【００１６】
ガラスバルブは、ソーダライムガラス、鉛ガラスなどの軟質ガラスが好適であるが、要すればホウ珪酸ガラスなどの硬質ガラスであってもよい。また、断面形状は、通常円形にするが、要すれば非円形たとえば楕円形その他任意の断面形状であることを許容する。さらに、長手方向の形状は、直管はもとより、環形、半円形、Ｌ字形、Ｕ字形、Ｗ字形など所望の形状にすることができる。
【００１７】
本発明の二重管形蛍光ランプは、用途は限定されない。しかし、ガラス外管の外径が４ｍｍ以下であることから、その用途は特にバックライト装置用、読取用、車載計器照明用、小形照明器具用などの比較的コンパクトな照明用途に好適である。そして、このような用途に用いられる比較的細長でコンパクトな蛍光ランプの場合、本発明においては、発光管は、一般的には外径３ｍｍ以下好ましくは２．５ｍｍ以下、最適には２ｍｍ以下である。また、蛍光ランプの全長は、一般的には任意長さとすればよいが、好ましくは３０〜３００ｍｍ、最適には５０〜２５０ｍｍである。
【００１８】
次に、電極について説明する。
【００１９】
電極は、冷陰極形の電極からなる。本発明においては、ガラス外管の寸法を規定している関係から、発光管も相応に細くなるので、このように細い発光管に対しては冷陰極を用いるのがよい。
【００２０】
蛍光体層について説明する。
【００２１】
蛍光体層は、ガラスバルブの内面に直接形成してもよいし、たとえばガラスバルブの内面に保護膜を形成し、保護膜の上に蛍光体層を形成する間接的な形成でもよい。また、使用する蛍光体はその用途に応じて任意所望のものを用いればよいが、たとえば読取用の蛍光ランプの場合は、希土類のリン酸塩蛍光体（ＬａＰＯ4：Ｃｅ3+、Ｔｂ3+）のような単色発光蛍光体またはこれを含んだ蛍光体、バックライト装置および車載計器照明用の二重管形蛍光ランプの場合は、３波長発光形蛍光体またはハロリン酸塩蛍光体などの白色系の発光色の蛍光体を用いることができる。
【００２２】
放電媒体について説明する。
【００２３】
放電媒体は、水銀および希ガスたとえばアルゴンが多くの場合に使用されるが、水銀を用いないで希ガスたとえばキセノンガスを用いて、キセノンガス放電による紫外線発光によって蛍光体を励起させるようにすることができる。しかし、この場合、低温時の光束立ち上がりの問題は殆どないが、発光管の機械的保護のために本発明の二重管蛍光ランプは効果的である。さらに、キセノンガスおよび水銀を封入してキセノンガス放電および水銀蒸気放電の両者を生起させることによって、それぞれの波長をもった紫外線を発生させてもよい。この場合は、低温時の光束立ち上がりの問題はそれなりに改善されるが、さらに本発明の二重管形蛍光ランプによる光束立ち上がり改善効果を発揮するとともに、機械的強度向上の作用効果も加わる。さらにまた、水銀とともに封入される希ガスとしてはアルゴン、ネオンもしくはクリプトンの単体、またはアルゴンおよびネオン、アルゴン、ネオンおよびヘリウムのそれぞれの混合ガスを用いれば、ペニング効果による始動性の改善も得られる。
【００２４】
水銀は、純水銀を直接封入してもよいし、アマルガムの形で封入してもよい。
【００２５】
ガラス外管について説明する。
【００２６】
ガラス外管は、ガラスバルブと同一材質のガラス材料を用いて形成されている。
【００２７】
発光管の説明において述べたように本発明は特定用途に限定されないから、ガラス外管は外径４ｍｍ以下であれば、蛍光ランプの用途に応じて所望の太さ寸法に設定することができる。４ｍｍ以下に限定される理由は、バックライト装置などこの種の照明用途の小形化の要求に応えるためである。また、肉厚は、外径の１０％以内であれば、任意に選ぶことができるが、好ましくは０．１以上、最適には０．３ｍｍ程度である。ガラス外管の肉厚は、薄い方が光吸収が少ないのでよいが、薄すぎると機械的強度が低下するので、上記のように規定するものである。さらに、全長は、一般的には任意長さとすればよいが、好ましくは多くの用途において３０〜３００ｍｍ、最適には５０〜２５０ｍｍである。
【００２８】
ガラス外管は、発光管との間に１ｍｍ以下の間隙を形成するような関係において発光管の周囲に配設される。また、ガラス外管と発光管とは、一般的には同心的位置関係において溶着されるが、両者は偏心していても差し支えない。極端な場合、発光管の周面の一部がガラス外管に接触していても基本的には所期の作用効果が得られるので、これも許容される。したがって、ガラス外管と発光管との間の間隙は平均値で求めるものとする。
【００２９】
また、本発明においては、上記間隙の真空度を１００Ｐａ以下にするものとし、この範囲内であれば任意の真空度にすることができる。すなわち、間隙の真空度を１００Ｐａ以下にするとともに、間隙長を１ｍｍ以下にすると、自由分子熱伝導の効果によって間隙の真空度に比例して熱伝導率が減少して、断熱効果によって蛍光ランプの輝度が上昇する。この自由分子熱伝導は、内部のガスの平均自由行程が互いの間隔以上である場合に成立するため、間隙長が１ｍｍ超、内部の真空度が１００Ｐａ超の場合は自由分子熱伝導の効果を得ることができない。このような条件においても所要の断熱効果を得ようとするためには、従来技術のように間隙長を大きくする必要があるが、照明装置の小形化、薄形化の要求に応えることはできない。
【００３０】
ガラス外管と発光管のガラスバルブとのガラス溶着とは、両者のガラスの双方または一方が溶融して固着することである。そして、上記両者のガラス溶着は、後述する図２に示すように、ガラスバルブの両端部全体にわたり隙間なく行われ、その結果両者は一体化されている。以上の構成により、二重管形蛍光ランプは、その発光管が、両電極からガラスバルブの両端部を貫通して外部に導出された一対のリード線を備え、ガラス外管が、発光管のリード線導出部位周辺において発光管のガラスバルブと一体化されている。
【００３１】
本発明において、ガラス外管を配設するには、まず発光管を製作し、次にガラス外管を発光管に挿入して、真空雰囲気において所定の位置に保持しながらガラス外管の両端部を加熱して軟化させて発光管の端部のリード線導出部に向かって成形しながら溶融させればよい。
【００３２】
次に、本発明の作用について説明する。
【００３３】
そうして、本発明においてはガラス外管の外径およびその肉厚、間隙長およびその真空度を、前述のように規定することにより、ガラス外管が４ｍｍ以下の細い蛍光ランプでありながら、ランプ輝度が高くて、しかも低温時の光束立ち上がり特性の良好な二重管形蛍光ランプを得ることができる。したがって、サイドライト方式のバックライト装置に使用してこれを所望の薄形にすることができる。
【００３４】
また、本発明はその他の各種照明用途においても、装置の小形化に大きく貢献することができる。さらに、ガラス外管と発光管とをガラス溶着によって一体化したことにより、両者を格別異質の部材を用いることなく所定の位置関係を確実に保持しながら十分気密に封止することができる。すなわち、構造の簡素化となる。しかも、発光管およびガラス外管の相乗作用によって機械的強度が向上するから、相対的に肉薄のガラスバルブを用いることもできる。
【００３５】
さらに、ガラス外管を発光管に対して気密に、しかも容易に所定の位置関係を維持して発光管と一体化することができる。リード線をガラス外管の端部中央から導出させることが容易であるから、単管の蛍光ランプと同じ感覚で取り扱うことができる。
【００３６】
請求項２の発明の二重管形蛍光ランプは、請求項１記載の二重管形蛍光ランプにおいて、発光管は、ガラスバルブが断面ほぼ円形であり；ガラス外管は、断面がほぼ円形で、かつ発光管とほぼ同心に配設されている；ことを特徴としている。
【００３７】
本発明は、最も一般的な管形状および配置を規定したものである。
【００３８】
請求項３の発明の二重管形蛍光ランプは、請求項１または２記載の二重管形蛍光ランプにおいて、発光管は、外径２．５ｍｍ以下であることを特徴としている。
【００３９】
発光管を細くすることにより、反射板による集光効果が良好になる。
【００４０】
請求項４の発明のバックライト装置は、導光体と；導光体の厚さ以下の外径を有するガラス外管を備え、導光体に光を導入するように導光体の端面近傍に配設された請求項１ないし３のいずれか一記載の二重管形蛍光ランプと；を具備していることを特徴としている。
【００４１】
本発明によれば、二重管形蛍光ランプを用いることにより、輝度が高くて、しかも低温時の光束立ち上がり特性が良好でありながら、薄い導光体を用いた薄形のサイドライト方式のバックライト装置を得ることができる。
【００４２】
請求項５の発明の液晶表示装置は、請求項４記載のバックライト装置と；バックライト装置によって背面から照明される液晶表示体と；を具備していることを特徴としている。
【００４３】
本発明は、請求項４の発明のバックライト装置を用いて同様に薄形の液晶表示装置を得ることができる。
【００４４】
請求項６の発明の照明装置は、照明装置本体と；照明装置本体に配設された請求項１ないし３のいずれか一記載の二重管形蛍光ランプと；を具備していることを特徴としている。
【００４５】
本発明によれば、バックライト装置に限らないで、読取用、車載計器照明用、小形照明器具用などの各種照明用に適応する照明装置を得ることができる。
【００４６】
【発明の実施の形態】
以下、本発明の実施の形態を図面を参照して説明する。
【００４７】
図１は、本発明の二重管形蛍光ランプの一実施形態を示す一部切欠正面図である。
【００４８】
図２は、同じく要部拡大断面図である。
【００４９】
図において、１は発光管、２はガラス外管である。
【００５０】
発光管１は、細長い気密なガラスバルブ１ａ、ガラスバルブ１ａの両端部に封装された冷陰極形の一対の電極１ｂ、電極１ｂからガラスバルブ１ａの端部を貫通して導出されたリード線１ｃ、ガラスバルブ１ａの内面に形成された蛍光体層１ｄならびにガラスバルブ１ａ内に封入した放電媒体として水銀およびアルゴンを主体とする希ガスからなる。発光管１は、ガラスバルブ１ａが外径２ｍｍ、肉厚０．３ｍｍである。
【００５１】
ガラス外管２は、外径４ｍｍ、肉厚０．３ｍｍであり、発光管１ａと同心的な位置関係においてその両端部が発光管１のガラスバルブ１ａの両端部に溶着により図２に示すように隙間なく一体化されている。間隙長は０．２ｍｍである。
【００５２】
電極はニッケル筒、電極部ワイヤー長は２ｍｍである。
【００５３】
放電媒体は、水銀およびアルゴン、ネオンの混合ガスを用いた。
【００５４】
そうして、得た多重管蛍光ランプの全長は２００ｍｍである。
【００５５】
図３は、本発明の二重管形蛍光ランプのガラス外管および発光管の寸法関係を説明するための断面図である。
【００５６】
図において、図１、２と同一部分には同一符号を付して説明を省略する。ＤOはガラス外管の外径、ｔOは同じく肉厚、ＤLは発光管の外径、Ｇはガラス外管と発光管との間の間隙長である。なお、電極および蛍光体層は図示を省略してある。
【００５７】
図４は、間隙長およびランプ輝度の関係を示すグラフである。
【００５８】
図は、図１、２に示すのと同じ外径が２ｍｍの発光管を用いてガラス外管の外径をそれぞれ異ならせるとともに、間隙内の真空度を１０Ｐａ、１００Ｐａおよび１００００Ｐａにした３組からなる複数の二重管形蛍光ランプを試作して、それぞれのランプ輝度を測定した結果を作図したものである。曲線Ａは間隙の真空度が１０Ｐａ、曲線Ｂは同じく１００Ｐａ、曲線Ｃは同じく１００００Ｐａの二重管形蛍光ランプのランプ輝度を示している。
【００５９】
図から明らかなように、曲線Ａの１０Ｐａの場合は、２００００ｃｄ／ｍｍ2の高い輝度が得られるが、間隙が１ｍｍを超えるにしたがって輝度が大きく低下してしまう。これは間隙による断熱効果が大きすぎて発光管の温度が上昇しすぎるためである。
【００６０】
曲線Ｂの１００Ｐａの場合は、空隙長が１ｍｍ以内においては１０Ｐａのように極めて大きな輝度は得られないが、十分実用可能な範囲である。なお、空隙長が２ないし３ｍｍ近辺で最高輝度になり、さらに空隙長が大きくなるにしたがって輝度は再び低下する。
【００６１】
これに対して、曲線Ｃの１００００Ｐａの場合は、間隙が１ｍｍ以下においては輝度が１００００ｃｄ／ｍ2と小さすぎる。しかし、間隙が大きくなるにしたがって輝度が高くなり、間隙長が４ｍｍ以上になれば、２００００ｃｄ／ｍ2程度の輝度を得ることができるが、蛍光ランプの外径が大きくなりすぎて本発明が目指すコンパクトな二重管形蛍光ランプを得ることができない。
【００６２】
図５は、ガラス外管および発光管の管径比とサイドライト方式のバックライト装置の表示面輝度との関係を示すグラフである。
【００６３】
図において、横軸は管径比を、縦軸は表示面輝度をそれぞれ示す。管径比とは、ここでは発光管の外径に対するガラス外管の外径に比をいう。
【００６４】
図から明らかなように、ガラス外管が発光管に対して太くなるにしたがって表示面輝度が低下する。したがって、表示面の輝度だけからすれば、ガラス外管はない方がよい。しかし、ガラス外管の外径が発光管の外径に比べて比較的小さいうちは表示面輝度の低下は緩やかであり、
ガラス外管の外径が発光管の外径の２倍までなら、ガラス外管がない場合の９０％以上の表示面輝度を確保できる。
【００６５】
図６は、ガラス外管およびその肉厚の比とサイドライト方式のバックライト装置の表示面輝度との関係を示すグラフである。
【００６６】
図において、横軸はガラス外管の外径およびその肉厚の比を、縦軸は表示面輝度をそれぞれ示す。
【００６７】
図から明らかなように、ガラス外管の肉厚の外径に対する比率が大きくなるにしたがって表示面輝度が低下する。しかし、肉厚が外径に対して１０％までなら、表示面輝度はガラス外管がない場合の９０％以上を確保できる。
【００６８】
図７は、本発明のバックライト装置および液晶表示装置の一実施形態を示す断面図である。
【００６９】
図において、４はバックライト装置、５は液晶表示部、６は液晶表示装置である。
【００７０】
バックライト装置４は、厚さ４ｍｍのアクリル樹脂製の導光体４ａ、導光体４ａの側方に配設したガラス外管の外径が４ｍｍの二重管形蛍光ランプ４ｂ、導光体４ａの背面に配設した反射板４ｃ、導光体４ａの前面に配設した制光手段４ｄたとえば拡散板４ｄ１および集光板４ｄ２、二重管形蛍光ランプ４ｂを覆いかつ導光体４ａに向かって開口する反射板４ｅおよび以上の各構成要素を収納するケース４ｆから構成されている。なお、反射板４ｅの各開口縁４ｅ１、４ｅ２は導光体４ａの端部を上下から挟んで光が有効に導光体に導入されるように配慮している。
【００７１】
液晶表示部５は、バックライト装置４の前面に配設される。
【００７２】
そうして、バックライト装置４および液晶表示部５は液晶表示装置６を構成している。
【００７３】
バックライト装置の作用については、二重管形蛍光ランプ４ｂを光源としていても本質的に変わらないし、またバックライト装置の作用は周知なので説明は省略する。
【００７４】
図８は、本発明の照明装置の一実施形態を示す読取装置の概念的断面図である。
【００７５】
図において、７は読取装置、７ａは二重管形蛍光ランプ、７ｂは受光手段、７ｃは信号処理装置、７ｄは原稿載置面、７ｅは以上の各構成要素を収納するケース、７ｆは反射鏡である。
【００７６】
読取装置は、複写機、イメージスキャナおよびファクシミリなどのＯＡ機器などに適応する。
【００７７】
読取装置の作用については、二重管蛍光ランプ４ｂを光源としていても単管の蛍光ランプと本質的に変わらないし、また読取装置の作用は周知なので説明は省略する。
【００７８】
【発明の効果】
請求項１ないし５の各発明によれば、外径を所要の程度に細くして、しかも十分な断熱性を有していて、輝度が高いとともに、低温時の光束立ち上がり特性が良好な二重管形蛍光ランプを提供することができる。
【００７９】
また、蛍光ランプの外径が細いから、これを用いる照明装置を小形化することができる。  さらに、発光管の両端にガラス外管の両端部を簡単な構造で固定しているので、両者の一体化が容易で、しかも両者間の気密性が良好であるから、長期間にわたって所期の性能を維持できる。
【００８０】
さらにまた、リード線をガラス外管の端部中央から導出させているので、単管の蛍光ランプと同じ感覚で取り扱うことができる。
【００８１】
請求項２の発明によれば、加えて最も一般的な管構造の二重管形蛍光ランプを提供することができる。
【００８２】
請求項３の発明によれば、加えて反射板による集光効果の良好な二重管形蛍光ランプを提供することができる。
【００８３】
請求項４の発明によれば、加えて導光体の厚さ以下の外径を有するガラス外管を備えた二重管形蛍光ランプを配設したサイドライト方式のバックライト装置を提供することができる。
【００８４】
請求項５の発明によれば、請求項４の効果を有する液晶表示装置を提供することができる。
【００８５】
請求項６の発明によれば、請求項１ないし３の効果を有する照明装置を提供することができる。
【図面の簡単な説明】
【図１】本発明の二重管形蛍光ランプの一実施形態を示す一部切欠正面図
【図２】同じく要部拡大断面図
【図３】本発明の二重管形蛍光ランプのガラス外管および発光管の寸法関係を説明するための断面図
【図４】間隙長およびランプ輝度の関係を示すグラフ
【図５】ガラス外管および発光管の管径比とサイドライト方式のバックライト装置の表示面輝度との関係を示すグラフ
【図６】ガラス外管およびその肉厚の比とサイドライト方式のバックライト装置の表示面輝度との関係を示すグラフ
【図７】本発明のバックライト装置および液晶表示装置の一実施形態を示す断面図
【図８】本発明の照明装置の一実施形態を示す読取装置の概念的断面図
【図９】従来の２重管形蛍光ランプの断面図
【符号の説明】
１…発光管
２…ガラス外管
【図１】
0003608696.tif 000002
【図２】
0003608696.tif 000003
【図３】
0003608696.tif 000004
【図４】
0003608696.tif 000005
【図５】
0003608696.tif 000006
【図６】
0003608696.tif 000007
【図７】
0003608696.tif 000008
【図８】
0003608696.tif 000009
【図９】
0003608696.tif 000010